(57)【特許請求の範囲】
【請求項１】
既設管の外周面との間に既設管下部から既設管上部に亘って既設管周方向に沿う案内流路を形成する流路形成部材に、分岐管接続用の分岐用管部が前記案内流路内の上部において開口するように既設管径方向に向けて設けられている分岐管継手を前記既設管の外周面に固定し、
前記分岐用管部を通して、前記既設管の下部管壁に前記案内流路内の下部に連通する下部貫通孔を形成するための上部貫通孔をその既設管の上部管壁に設け、
前記下部貫通孔を形成した後の前記上部貫通孔を前記分岐用管部を通して塞ぎ、
前記分岐用管部に分岐管を接続して、その分岐管と前記既設管とを前記案内流路及び前記下部貫通孔を介して連通させるまでの一連の工程を、前記分岐管継手からの流体の流出を阻止しながら行う分岐管接続工法であって、
前記分岐管を、前記分岐用管部側にフランジ継手で連結される接続管部に接続するように構成し、
前記分岐用管部からの流体の流出を阻止する仕切り弁を前記分岐管継手に取り付けたのち、前記上部貫通孔を前記既設管に設け、
前記上部貫通孔を塞ぐ塞ぎ部が前記分岐用管部を通して挿入可能に形成され、且つ、前記分岐用管部を塞ぐ塞ぎ板がフランジどうしの間に引き抜き可能に挟み込まれている前記フランジ継手で、前記上部貫通孔を塞ぎつつ前記接続管部を前記分岐用管部側に連結したのち、前記仕切り弁を前記分岐管継手から取り外し、
次に、前記接続管部に前記分岐管が接続されている状態で、前記フランジ継手を緩めて前記塞ぎ板を引き抜き、
次に、前記フランジ継手を締め付けて、前記接続管部を前記分岐用管部側に連通接続する分岐管接続工法。
【請求項２】
前記フランジ継手が、前記接続管部に形成の接続管部側フランジと、前記塞ぎ部を下方に備えた塞ぎ部材に形成の塞ぎ部材側フランジと、前記分岐用管部に形成の分岐用管部側フランジとから構成されている請求項１記載の分岐管接続工法。
【請求項３】
前記塞ぎ板が、前記接続管部側フランジと前記塞ぎ部材側フランジとの間に挟み込まれている請求項２記載の分岐管接続工法。
【請求項４】
前記塞ぎ部材には、前記分岐用管部に嵌め込み可能な円筒状の嵌込部が形成されている請求項２又は３記載の分岐管接続工法。
【請求項５】
前記塞ぎ板を挟み込んでいるフランジどうしの締め付けボルトの緩め代が一定範囲内になるように規制されている請求項１〜４のいずれか１項に記載の分岐管接続工法。
【請求項６】
前記締め付けボルトが、前記塞ぎ板を挟み込んでいるフランジのうちの一方のフランジに対して螺合され、
前記締め付けボルトに、その締め付けボルトを緩めるに伴って前記フランジ側に接当する接当部材を設けて、前記緩め代が一定範囲内になるように規制されている請求項５記載の分岐管接続工法。
【発明の詳細な説明】
【０００１】
【発明の属する技術分野】
本発明は、分岐管接続用の分岐用管部を備えた分岐管継手を既設管に連通接続し、前記分岐用管部に分岐管を接続して、その分岐管と前記既設管とを前記分岐管継手を介して連通させるまでの一連の工程を、前記既設管内の流体の流出を阻止しながら行う分岐管接続工法に関する。
【０００２】
【従来の技術】
冒記分岐管接続工法によれば、分岐用管部に分岐管を接続して、その分岐管と既設管とを分岐管継手を介して連通させるまでの一連の工程を、既設管内の流体の流出を阻止しながら行うので、既設管が水道管の場合には、断水等の不便を利用者に強いることなく、分岐管を接続することができる。
そして、従来の冒記分岐管接続工法においては、例えば特開平７−１１３４８９号公報に記載されているように、分岐用管部を開閉自在な仕切り弁が備えられている分岐管継手を、既設管内の流体の流出を阻止しながら既設管に連通接続し、分岐管継手を既設管に連通接続したあとは、その仕切弁で分岐用管部を閉じて流体の流出を阻止して、その仕切弁に分岐管を接続するようにしている。
【０００３】
【発明が解決しようとする課題】
上記従来技術によれば、分岐用管部を開閉自在な仕切り弁が備えられている分岐管継手を使用する必要があり、分岐管の接続工費が高く付く欠点がある。
本発明は上記実情に鑑みてなされたものであって、分岐用管部と分岐管との接続方法を工夫することにより、分岐管の接続工費を安くすることができるようにすることを目的とする。
【０００４】
【課題を解決するための手段】
請求項１記載の分岐管接続工法は、
分岐管を、分岐用管部側にフランジ継手で連結される接続管部に接続するように構成し、そのフランジ継手のフランジどうしの間に塞ぎ板を挟み込んで接続管部を分岐用管部側に連結して、分岐用管部からの流体の流出をその塞ぎ板で阻止し、接続管部に分岐管が接続されている状態でフランジ継手を緩めて、分岐管と分岐用管部とが連通するように塞ぎ板を引き抜き、フランジ継手を締め付けて、接続管部を分岐用管部側に連通接続する。
従って、分岐管と分岐管継手とをその間に仕切り弁を介在させることなく連通接続することができ、分岐管の接続工費を安くすることができる。
【０００５】
また、流路形成部材を既設管の外周面に固定して、分岐用管部を通して既設管の管壁に貫通孔を形成するので、分岐管継手自体を、既設管内の流体の流出を阻止する作業用の密閉ケースの一部に兼用して、既設管の管壁に貫通孔を形成することができる。
請求項２記載の分岐管接続工法は、
前記フランジ継手が、前記接続管部に形成の接続管部側フランジと、前記塞ぎ部を下方に備えた塞ぎ部材に形成の塞ぎ部材側フランジと、前記分岐用管部に形成の分岐用管部側フランジとから構成されている分岐管接続工法である。
請求項３記載の分岐管接続工法は、
前記塞ぎ板が、前記接続管部側フランジと前記塞ぎ部材側フランジとの間に挟み込まれている分岐管接続工法である。
請求項４記載の分岐管接続工法は、
前記塞ぎ部材には、前記分岐用管部に嵌め込み可能な円筒状の嵌込部が形成されている分岐管接続工法である。
【０００６】
請求項５記載の分岐管接続工法は、
フランジ継手を緩めて塞ぎ板を引き抜く為の、その塞ぎ板を挟み込んでいるフランジどうしの締め付けボルトの緩め代が一定範囲内になるように規制されているので、締め付けボルトを緩めすぎて、フランジどうしの間から多量の流体が流れ出してしまうような事態を防止できる。
【０００７】
請求項６記載の分岐管接続工法は、
締め付けボルトが塞ぎ板を挟み込んでいるフランジのうちの一方のフランジに対して螺合され、その締め付けボルトを緩めるに伴ってフランジ側に接当する接当部材をその締め付けボルトに設けて、緩め代が一定範囲内になるように規制されているので、締め付けボルトの一方のフランジに対する螺進操作でフランジ継手を一定範囲内で簡便に緩めることができる。
【０００８】
分岐管接続工法において、前記塞ぎ板の一端部に、その塞ぎ板を前記フランジどうしの間から引き抜くための引き抜き具を係脱自在に係止する被係止部が形成し、前記塞ぎ板が、前記被係止部が前記フランジどうしの間からはみ出る状態で挟み込まれている構成にすれば、塞ぎ板の一端部に被係止部を形成して、その被係止部がフランジどうしの間からはみ出るように塞ぎ板を挟み込み、塞ぎ板を引き抜くときには、引き抜き具をその被係止部に係止して引き抜くので、引き抜き具を予め取り付てある大型の塞ぎ板をその引き抜き具がフランジどうしの間からはみ出るように挟み込む場合に比べて、塞ぎ板のフランジどうしの間からのはみ出し部分が作業の邪魔になるおそれが少ない。
【０００９】
【発明の実施の形態】
図１，図２は、既設管の一例としての地中に埋設されている既設水道管Ａと、消火栓Ｃが接続されている分岐管の一例としてのボール弁付き分岐管Ｂとをダクタイル鋳鉄製の分岐管継手Ｄを介して連通接続してある分岐管の接続構造を示し、分岐管継手Ｄは、既設水道管Ａの外周面との間に形成した既設管下部から既設管上部に亘って既設管周方向に沿う渦巻き状の案内流路２と、案内流路２内の下部に連通するように既設水道管Ａの下部管壁Ａ１に形成した下部貫通孔１ａとを介して既設水道管Ａと分岐管Ｂとを連通接続するように構成されている。
【００１０】
前記分岐管継手Ｄは、既設水道管Ａの外周面に対して水密に固定される筒状の流路形成部材３に分岐管接続用の分岐用管部４を一体形成して構成され、既設水道管Ａの上部管壁Ａ２に設けた作業用の上部貫通孔１ｂを後述する塞ぎ部５で塞いで、既設水道管Ａの外周面と流路形成部材３の内面との間に案内流路２を形成するように構成され、分岐用管部４が案内流路２内の上部において開口するように既設水道管径方向に向けて略垂直に設けられている。
【００１１】
前記分岐管Ｂは、分岐用管部４にフランジ継手６で連結される接続管部としての短管Ｅに接続するように構成され、既設水道管Ａの下部貫通孔１ａから流出した水道水を既設水道管Ａ外周面に沿ってその周方向上部に案内して分岐用管部４に流入させ、短管Ｅに接続した分岐管Ｂを介して、消火栓Ｃから放水できるように構成されている。
【００１２】
前記流路形成部材３は、既設水道管Ａ外周面を囲繞する筒形に形成され、既設水道管Ａ外周面を径方向から挟み付ける状態でその既設水道管Ａに固定できるよう上下二個の分割部材３ａ，３ｂに分割されているとともに、その分割部材３ａ，３ｂを既設水道管Ａの周方向に沿って径方向外方に膨出させて、その内側に案内流路２を形成するように構成され、分割部材３ａ，３ｂと既設水道管Ａとの間、並びに、分割部材３ａ，３ｂどうしの間には、ゴム製パッキン材３ｃが装着されている。
従って、この流路形成部材３が既設水道管Ａの外周面を囲むように固定されるケース形成部材に構成され、分岐管継手Ｄがこのケース形成部材３に分岐用管部４を連通接続して構成されている。
【００１３】
前記分岐用管部４内に嵌め込まれる円形の筒状体７（塞ぎ部材７、詳しくは、塞ぎ部材７の円筒状の嵌込部）の下端には、前記上部貫通孔１ｂを塞ぐ塞ぎ部５が一体形成され、この塞ぎ部５の中心部には、空気抜き孔５ａが形成されている。
前記筒状体７には、分岐用管部４の上部に形成した上部フランジ（分岐用管部側フランジ）６ａと短管Ｅの下部に形成した下部フランジ（接続管部側フランジ）６ｂとの間に挟み込んで共締め状態で固定される固定用フランジ（塞ぎ部材側フランジ）６ｃと、案内流路２に連通する開口７ａとが形成されている。
【００１４】
そして、開口７ａを案内流路２側に向けた筒状体７を、固定用フランジ６ｃで上部フランジ６ａと下部フランジ６ｂとの間に挟み込んで固定することにより、塞ぎ部５を上部貫通孔周縁との間に隙間ｆを形成する状態でその上部貫通孔１ｂ内に入り込ませて、その上部貫通孔１ｂを塞ぐように構成されている。
【００１５】
次に、前記分岐管継手Ｄを地中に埋設されている既設水道管Ａに固定して、分岐管Ｂを短管Ｅを介して分岐用管部４に接続し、その分岐管Ｂと既設水道管Ａとを分岐管継手Ｄを介して連通させるまでの一連の工程を、既設水道管Ａ内の水道水の流通を遮断せずに、分岐管継手Ｄからの水道水の流出を阻止しながら行う分岐管接続工法を、図１２〜図１８を参照しながら説明する。
【００１６】
消火栓Ｃの設置箇所にピットを掘削して既設水道管Ａを露出させて、その外周面を清掃した後、パッキン材３ｃを装着した各分割部材３ａ，３ｂをその外周面に対して水密に連結固定して、流路形成部材３の内面と既設水道管Ａ外周面との間に案内流路２を形成し、図１２に示すように、分岐用管部４に作業用の仕切り弁Ｇを取付けるとともに、穿孔機Ｈの円筒状カッターＨ１が内側にセットされている作業用の第１密閉ケースＪをその仕切り弁Ｇに固定する。
尚、分岐用管部４の上部フランジ６ａのボルト孔には、筒状体７を位置決めする為のガイドピンＫ１を備えた止水用ボルトＫが螺着されている。
【００１７】
次に、図１３に示すように、仕切り弁Ｇを開いて、分岐用管部４を通して案内流路２にカッターＨ１を入り込ませて、既設水道管Ａの下部管壁Ａ１に下部貫通孔１ａを形成する為の作業用の上部貫通孔１ｂをそのカッターＨ１で上部管壁Ａ２を設け、その上部貫通孔１ｂの切片ｂを保持したカッターＨ１を仕切り弁Ｇの上部に持ち上げてから、その仕切り弁Ｇを閉じて、その切片ａをカッターＨ１から取り外し、次に、図１４に示すように、上部貫通孔１ｂを通して既設水道管Ａ内に入り込ませたカッターＨ１で既設水道管Ａの下部管壁Ａ１に下部貫通孔１ａを形成し、その切片ａを保持したカッターＨ１を仕切り弁Ｇの上部に持ち上げてから、仕切り弁Ｇを閉じて、穿孔機Ｈを第１密閉ケースＪとともに仕切り弁Ｇから撤去する。
【００１８】
次に、図１５に示すように、昇降用の操作軸部材Ｌ１に連結されている短管Ｅと筒状体７とを内側にセットしてある第２密閉ケースＬを仕切り弁Ｇに固定する。
前記第２密閉ケースＬの内側にセットされている短管Ｅの下部フランジ６ｂには、図３に示すように、筒状体７が固定用フランジ６ｃで予めボルト固定され、下部フランジ６ｂと固定用フランジ６ｃは、それらのフランジ６ｂ，６ｃどうしの間に分岐用管部４を塞ぐ塞ぎ板８を径方向に引き抜き可能に挟み込んで、フランジ径方向で対向する２箇所に装着した固定用の締め付けボルト・ナット９で仮固定されている。
【００１９】
前記塞ぎ板８の一端部には、図４に示すように、その塞ぎ板８を下部フランジ６ｂと固定用フランジ６ｃとの間から引き抜く為の引き抜き具１０が係脱自在に係止される被係止部としての二個の係止孔８ａが形成され、締め付けボルト・ナット９は、塞ぎ板８をそれらの係止孔８ａがフランジ６ｂ，６ｃどうしの間からはみ出るように挟み込んで締め付けている。
【００２０】
図６，図７は、下部フランジ６ｂと固定用フランジ６ｃとを塞ぎ板８を挟んで固定用の締め付けボルト・ナット９で固定する際の作業手順を示し、ネジ回しの先端が差し込まれる溝が形成されている平頭９ｃを備えた締め付けボルトとしての頭付きボルト９ａを、図６に示すように、平頭９ｃが固定用フランジ６ｃの下面に接当するまでその固定用フランジ６ｃにねじ込み、次に、その頭付きボルト９ａを予め規定されている量、例えば半回転だけ緩める側に回して、平頭９ｃと固定用フランジ６ｃの下面との間に隙間ｍを形成してから、図７に示すように、その頭付きボルト９ａの下部フランジ６ｂからの突出端にナット９ｂをねじ込んで、下部フランジ６ｂと固定用フランジ６ｃとを締め付けて、下部フランジ６ｂと固定用フランジ６ｃとを塞ぎ板８を挟んで固定し、その固定状態で頭付きボルト９ａとナット９ｂとが一体に回転するように互いに溶接してある。
【００２１】
従って、頭付きボルト９ａが、塞ぎ板８を挟み込んでいるフランジ６ｂ，６ｃのうちの一方のフランジである固定用フランジ６ｃに対して螺合され、その頭付きボルト９ａに、その頭付きボルト９ａをナット９ｂで緩めるに伴ってフランジ９ｃ側に接当する接当部材としての平頭９ｃが設けられ、頭付きボルト９ａの塞ぎ板８を引き抜く為の緩め代が一定範囲内になるように規制されている。
【００２２】
次に、図１６に示すように、仕切り弁Ｇを開いて、操作軸部材Ｌ１の操作で、筒状体７の固定用フランジ６ｃが分岐用管部４の上部フランジ６ａに接当するまで、短管Ｅと筒状体７とを分岐用管部４を通して下降させ、固定用フランジ６ｃの４箇所の連結用ボルト孔６ｄに止水用ボルトＫのガイドピンＫ１を入り込ませて位置決めした後、止水用ボルトＫを外しながら、図１７に示すように、その止水用ボルトＫに代えて挿通した連結用ボルト１１を固定用フランジ６ｃにねじ込んで、短管Ｅを分岐用管部４側にフランジ継手６で連結する。
従って、この状態では、図５に示すように、分岐用管部４を通して挿入した塞ぎ部５が上部貫通孔１ｂに入り込んで、その上部貫通孔１ｂが塞がれているとともに、分岐用管部４からの水道水の流出が塞ぎ板８で阻止されている。
【００２３】
次に、第２密閉ケースＬの仕切り弁Ｇとの連結を解除して、その第２密閉ケースＬを操作軸部材Ｌ１に沿って持ち上げ、操作軸部材１と短管Ｅとの連結を解除して、第２密閉ケースＬを仕切り弁Ｇから撤去し、更に、仕切り弁Ｇを分岐用管部４から撤去して、図１８に示すように、短管Ｅに分岐管Ｂを接続し、その分岐管Ｂに消火栓Ｃを接続する。
【００２４】
次に、図８に示すように、下部フランジ６ｂと固定用フランジ６ｃとを塞ぎ板８を挟んで固定している頭付きボルト９ａを平頭９ｃが固定用フランジ６ｃの下面に接当するまでナット９ｂ側から回して、フランジ継手６を緩め、図９に示すように、塞ぎ板８に鋼板製の引き抜き具１０を係止してその塞ぎ板８を引き抜く。
【００２５】
前記引き抜き具１０は、図１０に示すように、塞ぎ板８の係止孔８ａに係止する係止突起１０ａと持ち手部１０ｂとを備え、係止孔８ａに係止突起１０ａを係止した状態で、その持ち手部１０ｂを掴んでフランジ径方向に引っ張ることで、塞ぎ板８を容易に引き抜けるように構成してある。
【００２６】
次に、図１１に示すように、頭付きボルト９ａをナット９ｂで締め付けて、下部フランジ６ｂと固定用フランジ６ｃとを固定したあと、図１に示すように、連結用ボルト１１のナット１１ａをねじ込んで、フランジ継手６を構成している上部フランジ６ａと下部フランジ６ｂと固定用フランジ６ｃとを共締め状態で固定して、一連の工程を終了する。
【００２７】
〔その他の実施例〕
１．本発明による分岐管接続工法は、既設の水道管に分岐管を接続するものに限定されず、例えば、既設の下水管に分岐管を接続するものであっても良い。
２．分岐用管部と接続管部とを直接連結するフランジ継手を設けて、そのフランジ継手のフランジどうしの間に、塞ぎ板を引き抜き可能に挟み込んでも良い。
３．二枚のフランジの双方に亘って挿通した締め付けボルトにナットをねじ込んで、それらのフランジどうしの間に塞ぎ板を挟み込むように構成し、ナットの締め付けボルトに対する螺進範囲を規制する規制部材を設けて、その締め付けボルトの緩め代が一定範囲内になるように規制しても良い。
４．引き抜き具が予め固定されている塞ぎ板をフランジどうしの間に引き抜き可能に挟み込んで実施しても良い。
５  既設管を囲む作業用の密閉ケース内で既設管の一定長さを切除し、その切除部分に分岐管継手を接続して、分岐管継手と既設管を連通接続する分岐管接続工法であっても良い。
【図面の簡単な説明】
【図１】分岐管の接続構造を示す一部断面正面図
【図２】分岐管の接続構造を示す一部断面側面図
【図３】短管と筒状体との仮固定状態を示す一部断面側面図
【図４】要部の平面図
【図５】要部の断面図
【図６】要部の断面図
【図７】要部の断面図
【図８】要部の断面図
【図９】要部の断面図
【図１０】要部の斜視図
【図１１】要部の断面図
【図１２】分岐管接続工法の説明図
【図１３】分岐管接続工法の説明図
【図１４】分岐管接続工法の説明図
【図１５】分岐管接続工法の説明図
【図１６】分岐管接続工法の説明図
【図１７】分岐管接続工法の説明図
【図１８】分岐管接続工法の説明図
【符号の説明】
１ａ        下部貫通孔
３          ケース形成部材
４          分岐用管部
６          フランジ継手
６ｂ，６ｃ  フランジ
８          塞ぎ板
８ａ        被係止部
９ａ        締め付けボルト
９ｃ        接当部材
１０        引き抜き具
Ａ          既設管
Ａ１        管壁
Ｂ          分岐管Ｂ
Ｄ          分岐管継手
Ｅ          接続管部
【図１】
0004079477.tif 000002
【図２】
0004079477.tif 000003
【図３】
0004079477.tif 000004
【図４】
0004079477.tif 000005
【図５】
0004079477.tif 000006
【図６】
0004079477.tif 000007
【図７】
0004079477.tif 000008
【図８】
0004079477.tif 000009
【図９】
0004079477.tif 000010
【図１０】
0004079477.tif 000011
【図１１】
0004079477.tif 000012
【図１２】
0004079477.tif 000013
【図１３】
0004079477.tif 000014
【図１４】
0004079477.tif 000015
【図１５】
0004079477.tif 000016
【図１６】
0004079477.tif 000017
【図１７】
0004079477.tif 000018
【図１８】
0004079477.tif 000019